(57)【要約】複数のデジタルディスク（１０）のための本発明のパッケージ体は、これらディスク（１０）をそれらのストック位置で保持するための手段を有し、これらディスク（１０）は、パッケージ体に対して傾斜した平面で延び、このパッケージ体は、ディスク受容領域（３０）が設けられている広い面を有し、底部（３１）により規定され、複数の端部（３２、３４）を備えているトレイ（２０）を有し、このトレイは、また、受容領域（３０）の内側でディスクの傾斜したストック位置でこれらディスク（１０）を保持するための手段（４０）を有し、これらディスク（１０）は、部分的に離間され重なるように、底部（３１）に対して傾斜した平面を延びることを特徴とする。
2008502543.tif 000002
【特許請求の範囲】
【請求項１】
複数のデジタルディスク（１０）のためのパッケージ体であって、
これらディスク（１０）をそれぞれのストック位置で保持するための手段を具備し、これらストック位置では、これらディスク（１０）は、前記パッケージ体に対して傾斜しているそれぞれの平面で延びる、パッケージ体において、
このパッケージ体は、これらディスク（１０）を受容するようにハウジング（３０）が中に形成されている広い面を有し、底部（３１）により規定され、複数の端部（３２、３４）を有しているプラットフォーム（２０）を具備し、このプラットフォームは、前記ハウジング（３０）の内側にこれらディスク（１０）を、これらディスクのそれぞれの傾斜したストック位置で保持するための手段（４０）を有し、これらストック位置で、これらディスク（１０）は、前記底部（３１）に対して傾斜したそれぞれの平面で部分的に離間され、部分的に重ねられて延びることを特徴とするパッケージ体。
【請求項２】
前記ディスク（１０）は、これらディスクのそれぞれのストック位置で、互いに平行であることを特徴とする請求項１に係るパッケージ体。
【請求項３】
前記ディスク（１０）は、これらディスクのそれぞれのストック位置で、長手方向に整列されることを特徴とする請求項１又は２に係るパッケージ体。
【請求項４】
複数の前記ディスク（１０）のストック位置は、前記長手方向への並進により互いに続いていることを特徴とする請求項３に係るパッケージ体。
【請求項５】
前記ディスクを保持するための手段（４０）は、前記ハウジング（３０）の端部に位置し、ディスク（１０）の２分の１、例えば、上方半分を傾斜した位置で保持するように配置されている少なくとも１つの柔軟な保持用タブ（４１）からなることを特徴とする請求項１に係るパッケージ体。
【請求項６】
前記保持手段（４０）は、間で前記ディスクを傾斜した位置で受容するための領域を規定している２つの対向している端部に位置している２つの保持用タブ（４１）を有していることを特徴とする請求項５に係るパッケージ体。
【請求項７】
前記保持用タブ（４１）は、前記ディスク（１０）の周囲方向の端部（１１）だけがこのタブ（４１）に載るようにサイズが選択され、前記ハウジング（３０）の内側に向かって延びている、突出している部分（４１１）を有していることを特徴とする請求項５に係るパッケージ体。
【請求項８】
前記突出している部分（４１１）は、前記ハウジング（３０）の底部（３１）の上方に離れたところで延びていることを特徴とする請求項７に係るパッケージ体。
【請求項９】
前記保持用タブ（４１）は、前記ディスク（１０）を、ストック位置で、例えば、前記底部（３１）に垂直な方向で、保持するための手段（４２）を有していることを特徴とする請求項５に係るパッケージ体。
【請求項１０】
前記保持手段（４２）は、前記ディスク（１０）を傾斜した位置で、前記底部（３１）に対向する方向にロックするように配置されていることを特徴とする請求項９に係るパッケージ体。
【請求項１１】
前記保持用タブ（４１）は、例えば、柔軟な舌状部（４３）を伴って配置され、この結果、この保持用タブを、前記ハウジング（３０）の外側に向かって曲げることができ、前記ディスク（１０）の周方向の端部（１１）を前記保持手段（４２）から開放することができることを特徴とする請求項９に係るパッケージ体。
【請求項１２】
前記保持手段（４０）は、傾斜した位置の前記ディスク（１０）の周方向の端部（１１）の下方の部分（１１１）を、例えば、前記ハウジング（３０）の底部（３１）に垂直な方向でロックするためのタブ又は手段（４４）を有していることを特徴とする請求項５に係るパッケージ体。
【請求項１３】
前記保持手段（４２）は、傾斜した位置の前記ディスク（１０）の周方向の端部（１１）の上方の部分（１１２）を保持するための、前記ハウジング（３０）の端部（３４）に形成されたタブ（４５）を有していることを特徴とする請求項５に係るパッケージ体。
【請求項１４】
前記ハウジング（３０）は、ディスクを受容するための複数の領域（３３）に分割され、各領域（３３）は、互いに対向して位置している２つの長手方向の端部（３２）の少なくとも２つの円弧の部分（３２１）により規定され、対応する前記ディスク（１０）を保持するための複数のタブ（４１）を支持していることを特徴とする請求項１に係るパッケージ体。
【請求項１５】
前記ストック位置にある各ディスク（１０）は、前記長手方向に垂直で、対応する前記領域の円弧の端部（３２１）の中央の部分を接続する、横断方向の直径を有し、この結果、このディスク（１０）は、この長手方向に移動することができないことを特徴とする請求項１４に係るパッケージ体。
【発明の詳細な説明】
【技術分野】
【０００１】
本発明は、一般に、複数のデジタルディスクのためのパッケージ体に関する。  
より具体的には、本発明は、中に、複数のディスクを受け入れる、底により規定されているハウジングが配置されている広い面を備えているプラットフォームを有している、オーディオＣＤ、ＣＤ−ＲＯＭ、又はＤＶＤのような複数のデジタルディスクのためのパッケージ体に関する。
【背景技術】
【０００２】
このタイプのパッケージ体は、従来技術で、特に、欧州特許  ＥＰ−Ｂ−０６７６７６３において、既知である。この特許は、底部が少なくとも２つの異なる高さの領域に分割されており、これら２つの領域は各々ディスクを受容し、また、これらディスクが部分的に重なるように位置している、ハウジングを備えたパッケージ体を開示している。
【０００３】
これらのパッケージ体は、厚いという欠点を有する。これは、重ねられることができるために垂直方向に互いにずらされているからである。この欠点は、４つまたは６つのディスクを受容するように用いられるパッケージ体の場合には、特に、扱いにくい。なぜならば、全てのディスクが垂直方向に互いに重ねられているからであり、パッケージ体の全厚さが、全てのディスクの蓄積された厚さに対応するからである。
【発明の開示】
【発明が解決しようとする課題】
【０００４】
この状況において、本発明の目的は、上述の欠点を改善し、ハウジングの中にディスクを配置する新しい方法を可能とするパッケージ体を提案することである。
【課題を解決するための手段】
【０００５】
この目的のために、本発明のパッケージ体は、前記ディスクを、これらディスクがこのパッケージ体に対して傾斜したそれぞれの平面で延びる、それぞれのストック位置で保持するための手段を有している。
【０００６】
しかし、本発明に係れば、このパッケージ体は、広い面を有し、ハウジングは、この面の中に複数のディスクを受容するように形成され、（本当の、或いはくり抜かれた）底部により規定され、複数の端部を有する、堅いプラットフォームを有している。このプラットフォームは、このハウジングの内側に複数の前記ディスクを、これらディスクのそれぞれの傾斜したストック位置で保持するための手段を有し、このストック位置において、これらディスクは、前記底部に対して傾斜したそれぞれの面で、互いに離間し、部分的に重なって延びている。本発明のパッケージ体は、また、以下の複数の特徴のうち１つ以上を有していてもよい。
【０００７】
前記ディスクを保持するための手段は、前記ハウジングの端部に位置し、ディスクの２分の１、例えば、上方半分を傾斜した位置で保持するように配置されている少なくとも１つの柔軟な保持用タブからなる。
【０００８】
保持手段は、間でディスクを傾斜した位置で受容するための領域を規定している２つの対向する端部に位置している２つの保持用タブを有している。
【０００９】
前記保持用タブは、前記ディスクの周囲方向の端部だけがこのタブに載るようにサイズが選択され、前記ハウジングの内側に向かって延びている、突出している部分を有している。
【００１０】
この突出している部分は、前記ハウジングの底部の上方に離れたところで延びている。
【００１１】
前記保持用タブは、前記ディスクを、ストック位置で、例えば、前記底部に垂直な方向で保持するための手段を有している。
【００１２】
前記保持手段は、前記ディスクを傾斜した位置で前記底部に対向する方向にロックするように配置されている。
【００１３】
前記保持用タブは、例えば、柔軟な舌状部を伴って配置され、この結果、この保持用タブを前記ハウジングの外側に向かって曲げることができ、前記ディスクの周方向の端部を前記保持手段から開放することができる。
【００１４】
前記保持手段は、傾斜した位置の前記ディスクの周方向の端部の下方の部分を、例えば、前記ハウジングの底部に垂直な方向にロックするためのタブ又は手段を有している。
【００１５】
前記保持手段は、傾斜した位置の前記ディスクの周方向の端部の上方の部分を保持するための、前記ハウジングの端部に形成されたタブを有している。
【００１６】
それぞれのストック位置にある前記ディスクは、互いに平行で離間されている。  
それぞれのストック位置にある前記ディスクは、長手方向に整列されている。  
前記ディスクのストック位置は、前記長手方向への並進により互いに続いている。
【００１７】
前記ハウジングは、前記長手方向にほぼ平行な方向にほぼ延びている２つの対向する長手方向の端部により規定され、少なくとも複数のディスクの前記保持手段は、この長手方向の端部に形成された複数のタブを有し、前記ディスクをこのディスクのそれぞれの周方向の端部により支持する。
【００１８】
前記ハウジングは、ディスクを受容するための複数の領域に分割され、各領域は、互いに対向して位置している２つの長手方向の端部の少なくとも２つの円弧の部分により規定され、対応するディスクを保持するための前記タブを支持している。
【００１９】
前記ストック位置にある各ディスクは、前記長手方向に垂直で、対応する領域の円弧の部分の中央の部分を接続する、横断方向の直径を有し、この結果、このディスクは、この長手方向に移動することができない。
【００２０】
前記保持手段は、前記底部に垂直な方向に、前記ストック位置にある複数のディスクを保持する手段を有し、これら手段は、前記長手方向の端部に形成されている。
【００２１】
前記保持手段は、複数の整列するディスクの対応する端にあるディスクの周方向の端部の下方の部分をロックするための溝を、前記底部と共に形成するロック用タブを前記ハウジングの長手方向の一端に有し、このタブは、前記ディスクを前記底部に垂直な方向で保持する。
【００２２】
前記保持手段は、２つの前記長手方向の端部を接続している、前記ハウジングの横断方向の端部に形成されている中央のタブを有し、この中央のタブは、整列しているディスクの対応する一端を占めるディスクを、前記底部に対向するこのディスクの周方向の端部の上方の部分により保持する。
【００２３】
本発明の他の特徴と有利な点とは、添付された図面を参照して、指示する目的で全く限定する目的はなく、以下でなされる本発明の説明から明らかになるだろう。
【発明を実施するための最良の形態】
【００２４】
図１に示されているパッケージ体は、複数のデジタルディスク１０、例えば、オーディオＣＤ、ビデオＣＤ、ＤＶＤ、又はＣＤ−ＲＯＭ、を取り外し可能に、受け入れ保持することを目的とする。例えば、図１に示されているように、このパッケージ体は、２つの部分からなる。すなわち、ほぼ本の表紙の形態を有し、比較的しなやか即ち柔軟で、いずれにしても折り曲げ可能な、第１の厚紙部分６０と、例えば熱成形又は射出されてプラスチックで形成され、プラットフォーム２０の形状を有する比較的硬い第２の部分である。この第２の部分は、特に、本発明の主題であり、この第２の部分は、なんらかの適当な手段により、例えば、接着により、厚紙のカバーの内側にはめ込まれて取り付けられている。
【００２５】
厚紙のカバー６０は、本のように、外面６１ａと内面６１ｂとを備えた上部フラップ６１と、外面６２ａと内面６２ｂとを備えた下部フラップ６２と、これらフラップ６１、６２に、それぞれ、折り目即ち接続線６４、６５により、接続されている背６３とを有している。例えば、このカバー６０の少なくとも外面６１ａ、６２ａは、適当に印刷又は装飾されていてもよい。
【００２６】
以下で説明される、プラットフォーム２０の主な機能は、複数のデジタルディスク１０を、各々を取り外し可能に、収容し保持することである。このプラットフォームは、カバー６０の内側に、何らかの適当な手段で例えば接着により、例えば下側フラップ６２の内面６２ｂに、備えられ取り付けられている。フラップ６１が、プラットフォーム１０に折りかぶせられると、カバー６０／プラットフォーム１０の集合体は、本の形態をとり、この集合体を、例えば垂直に、棚にストックすることができる。
【００２７】
上記のパッケージ集合体は、プラットフォーム２０を包装し、保護する他の方法のうちの１つにすぎず、このプラットフォームは、他の形態の、特に１つ以上のプラットフォームを保護し、中に保持するための、パッケージ体の一部となることができることを理解されたい。
【００２８】
本発明を理解する目的のために、デジタルディスクは、一般的に図５、６を参照して、  
例えば、印刷又は装飾のための媒体として用いられる、通常はアクティブではない、上面７９と、  
デジタル信号が記録されているという意味で、アクティブなリング７１を有している下面と、  
全ての回転駆動手段を係合させて通過させるための、中央７０の軸方向の孔７８を有しているディスクと、  
（デジタル情報を有していないために）アクティブではなく、上面及び下面での径方向への延長が限定され、この結果、特に図６でより具体的に見られるように、下部の境界１１ａ、ベベル即ち端部１１ｂ、及び上部の境界１１ｃを形成している、周方向の端部１１と、を有していることに留意すべきである。
【００２９】
以下で説明され規定されているように、本発明の目的は、デジタルディスクの周方向の端部の全て又は部分により、下部のアクティブなリング７１を丁寧に扱い、そして、好ましくは、軸方向の孔７８を中央のロゼット(rosace)を通過させて、追加的な保持を行わず、デジタルディスク１０を保持することである。
【００３０】
プラットフォーム２０は、ほぼ平坦な形状であり、それほど厚くはなく、矩形で、第１の広い面すなわち上面を有し、この第１の広い面の中にハウジング３０が、ディスク１０を受け入れるように、穿たれ、底部３１により規定されている。
【００３１】
この底部３１は、平坦で、プラットフォームの広い面に平行であり、ハウジング３０の全体で同じ高さで延びており、特に、段により分けられた複数の高さは有していない。
【００３２】
図４に見られるように、プラットフォーム２０は、平坦な中心２１を有しており、ハウジング３０の内側のこの平坦な中心の面は、底部３１を規定しており、この中心の面の外面は、第１の面に対向する、プラットフォームの第２の広い面すなわち下面を規定している。
【００３３】
このパッケージ体は、ハウジング３０の内側のそれぞれのストック位置に複数のディスク１０を取り外し可能に保持するための複数の手段４０を有している。これらストック位置では、複数のディスク１０は、平行に互いに離間されるように、しかし互いにずらされて延び、これらディスクのそれぞれの中心７０の唯一の整列の方向ＸＸは、中心２１の内側面に平行で、底部３１から傾斜したそれぞれの平面上にある。
【００３４】
結果として、ストックされるディスク１０は、図３に示されているように、部分的に重なっている。
【００３５】
以下で説明される保持手段４０は、それ自身が以下の機能を果たす。  
各々のディスク１０を取り外し可能に保持すること。使用者は、他のディスクを最初に外して取り出すことなく、１つのディスクをプラットフォーム２０から、外して取り出すことができる。  
各々のディスクの周方向の端部１１だけを押圧することにより、互いに離間された少なくとも２つの上方の点と、ハウジング３０の底部３１に対して下方の点とで、各々のディスクを保持すること。  
各々のディスクのアクティブな内側の面すなわちリング７１が、ハウジング３０の内面並びに／もしくは、隣接するすぐ下のディスク１０と接触しないままで保たれるように、保持すること。
【００３６】
図２、及び図３は、それぞれのストック位置にあるディスク１０、特に、これらの中心７０が、長手方向Ｘ−Ｘ’に整列され、列を形成していることを示している。  
このように、これらディスク１０のストック位置は、長手方向Ｘ−Ｘ’に並進することにより互いに続いている。これらディスク１０は、この長手方向Ｘ−Ｘ’に均等に離間されることが好ましい。
【００３７】
図４に示されているように、各ディスク１０は、その周方向の端部１１の下方部分１１１で底部３１に載り、この下方部分１１１から斜めに図４の表示の右に延び、ハウジング３０の開口部３０に向かって、この底部３１に垂直な方向に延びている。
【００３８】
ディスクの周方向の端部１１の上方部分１１２は、プラットフォーム２０の第１の広い面即ち上面で、このハウジング３０の開口部の高さと重なっている。
【００３９】
ディスク１０の斜面と底部３１とにより形成される角は、鋭く、数度である。この角度は、通常、０°と１０°との間であり、３°と６°との間であれば好ましい。
【００４０】
この角度は、プラットフォーム２０のサイズと、ハウジング３０の中に位置しているディスク１０の数とに従って変化する。長手方向Ｘ−Ｘ’に１９センチメートルの長さで、この長手方向に垂直な横断方向Ｙ−Ｙ’に１３．５センチメートルの幅で、ほぼ１センチメートルの厚さのプラットフォームは、３つのディスク１０を受容することができ、上記角度は、ほぼ４．５°である。
【００４１】
この説明の残りでは、列の第１の端に位置するディスク１０の位置は、第１の位置と称され、この第１の位置のすぐそばに位置するディスク１０の位置は、第２の位置と称され、この第１の位置から離れた、第２の位置のすくそばの位置は、第３の位置と称される、などのように、上記第１の端と反対のこの列の第２の端まで続く。
【００４２】
図４に示されているように、図４の左の第１の位置に位置しているディスク１０は、第２の位置に位置しているディスク１０と部分的に重なっており、このディスクそれ自身が、第３の位置に位置しているディスクと部分的に重なっており、他のディスクと重なっていない最後の位置を占めるディスクまで続く。
【００４３】
ディスク１０の、列の中で直前に位置しているディスクと重なっている割合は、プラットフォーム２０のサイズと、ハウジングの中に位置しているディスクの数とに従う。
【００４４】
図２の例示的な実施形態におけるように２つのディスクを受容する、上述のサイズのプラットフォームに対して、第１の位置に位置しているディスクは、第２の位置に位置しているディスクと、この第２の位置に位置しているディスクの直径のほぼ５０％重なっている。
【００４５】
図４の例示的な実施形態におけるように３つのディスクを受容する、上述のサイズのプラットフォームに対して、第１又は第２の位置に位置しているディスクは、列の中でこれらの後の位置に位置しているディスクと、Ｘ−Ｘ’方向に、この後の位置に位置しているディスクの直径のほぼ７５％重なっている。
【００４６】
ハウジング３０は、長手方向Ｘ−Ｘ’にほぼ平行な方向にほぼ延びている２つの対向する長手方向の端部３２と、これら２つの長手方向の端部３２をこのハウジング３０の２つの対向する長手方向の端部に接続している、２つの横断方向の端部３４と、により規定され、これら横断方向の端部は、各々、ほぼ上述の横断方向Ｙ−Ｙ’に平行な、ほぼ横断する方向に延びている。
【００４７】
より正確には、図２及び図３で一点鎖線で示されている、各々が１つのディスク１０を受容することができる複数の受容領域３３へと分割されており、各々の領域は、互いに向かい合って位置している２つの長手方向の端部３２の少なくとも２つの円弧の部分３２１により規定されている。
【００４８】
したがって、図３で明らかに見られるように、各々の長手方向の端部３２は、長手方向に整列した一連の円弧の部分３２１に分割され、各々の円弧の部分は、ハウジング３０の内側に向けられた凹面を有し、２つの連続した部分は、接続し、ハウジング３０の内側に向いている鋭い領域を形成している。
【００４９】
互いに向かい合って位置して１つの同一の領域３３を規定している、２つの長手方向の端部３２の２つの円弧の部分３２１は、同心であり、ディスク１０の半径よりも非常にわずかに大きな半径の円に刻まれている。
【００５０】
横断方向の端部３４は、ハウジング３０の２つの端部に位置している２つの受容領域３３を規定し、各々が、円弧の形状で、対応する領域３３を規定している２つの対向する円弧の部分３２１を接続している。各横断方向の端部は、２つの対応する部分３２１と同じ円に刻まれ、したがって、この領域に受容されるディスク１０の半径よりも非常にわずかに大きい半径を有している。
【００５１】
ストック位置の各ディスク１０は、好都合にも、対応する領域３３の２つの円弧の端部３２１の中央の部分を接続する長手方向Ｘ−Ｘ’に垂直な横断方向の直径を有し、この結果、このディスク１０は、この横断方向の直径の各長手方向の端部の複数の鋭い領域を形成している、複数の円弧の端部の部分により長手方向に移動することを防止されていることに留意されたい。
【００５２】
機能が前に画定された、少なくとも複数のディスク１０の保持手段４０は、上記長手方向の端部３２で切り取られ、又はこの長手方向の端部３２に形成されている複数のタブ４１を有し、これらタブは、弾性的で、ハウジング３０の底部３１に向かって曲げられることができ、ディスク１０のそれぞれの周方向の端部によりこれらディスク１０を支持している。
【００５３】
所定の受容領域３３に位置しているディスク１０は、この領域を規定している２つの対向している円弧の端部３２１に位置している２つのタブ４１により保持されている。  
これらタブ４１は、各々、端部３２１からハウジング３０の内側に向けて突出している部分４１１を有し、この部分は、ディスク１０のデジタル情報を有していない周方向の端部１１が、タブ４１に載るように、すなわちこの周方向の端部の下部の境界１１ａ（図６を見よ）で載るように、ディスク１０の半径に比べてサイズが小さい。
【００５４】
ストック位置のディスク１０は、その周方向の端部１１の下方の部分１１１により位置し、より正確には、その端部１１ｂにより底部３１に位置する。また、同じ周方向の端部の２つの他の部分により位置し、より正確には、その下部の境界１１ａにより２つのタブ４１の突出している部分４４１に位置している。これら突出している部分４４１は、底部３１の上方に離間して延び、この結果、ディスク１０は、傾斜して保持される。
【００５５】
タブ４１が、長手方向の端部３２に沿って位置し、この結果、これらタブが、下方部分１１１に対向する、ディスク１０の周方向の端部の上方半分を保持するならば、好ましい。
【００５６】
しかしながら、これらタブ４１がディスク１０をその周方向の端部１１の下方半分により保持するようにタブ４１を位置させることが可能である。  
保持手段４０は、ストック位置にあるディスク１０を底部３１に垂直な方向に保持するための手段４２をさらに有し、これら手段は、長手方向の端部３２に形成されている。  
これら保持手段は、それぞれがタブ４１１の一部であり、長手方向の端部３２からハウジング３０の内側に向かって突出し、底部３１から突出している部分４４１のすぐ上方に位置している、突部からなる。ディスク１０の周方向の端部１１は、突出している部分４１１と突部と間にはめ込まれ、この突部により底部３１に対向する方向にロックされる。
【００５７】
図１と図２とに見られるように、タブ４１は、長手方向の端部３２に形成されている、それぞれの柔軟な舌状部４３のおかげで、柔軟に形成されている。各々の舌状部が、突出している部分４１１と対応する突部４２とを支持している。
【００５８】
これら舌状部４３を、底部に向かって、また、ハウジング３０の外側に向かって曲げることができ、この結果、突部４２を引いて、ディスクの周方向の端部１１を開放し、ディスクをハウジング３０から取り出すことが可能である。
【００５９】
例えば、これら舌状部４３は、突出している部分４１１の２つの対向する側の長手方向の端部３２に２つの第１の平行なスロット４３１を形成し、これら２つの第１のスロット４３１に導かれ突出している部分４１１の下に第３のスロット４３２を形成することにより得られる。「突出している部分４１１の下に」とは、第３のスロットが、底部３１と突出している部分４１１との間に延びていることを意味している。
【００６０】
保持手段４０は、適当な場合には、ハウジング３０の長手方向の一端に、第１の位置を取っているディスク１０の周方向の端部１１の下方の部分１１１をロックするための溝を底部３１と共に形成するロック用タブ４４をさらに有している。このタブ４４は、底部３１に垂直な方向にディスクを保持する。
【００６１】
このロック用タブ４４は、ハウジング３０の横断方向の端部３４の中央に形成され、この端部からハウジング３０の内側に向けて突出している。このタブは、底部３１のわずかに上方で延びており、その結果、上記溝は、ディスク１０の厚さよりもわずかに大きな高さを有している。
【００６２】
最後に、保持手段４０は、適当な場合には、ロック用タブ４４に対向して横断方向の端部３４の中央に形成されている中央のタブ４５を有している。したがって、最後の位置に位置するディスク１０を受容するための領域３３の境界を形成している。この中央のタブ４５は、横断方向の端部３４からハウジング３０の内側に向けて突出しており、最後の位置を取るディスク１０を、底部３１に対向するその周方向の端部の上方の部分１１２により保持する。この中央のタブは、底部３１の上方に離間されて形成されている。  
この中央のタブ４５は、対応するディスクを保持するために２つのタブ４１に置き換えることができ、これら２つのタブに追加することもできる。
【００６３】
例として与えられている、上述の説明の結果は、以下の通りである。  
ａ）各々のディスク１０を傾斜した位置に維持し保持するのは、保持手段４０のみである。接触している、必要ならばロックされている保持手段を除いて、ディスク１０の周方向の端部１１は、自由であり、ハウジング３０の底部３１の上方に持ち上げられている。  
ｂ）これら保持手段４０、この例では、タブ４１、４５、は、各ディスク１０の円形の周囲即ち周方向の端部１１の周りに均等に分布している。  
ｃ）ディスク１０の周方向の端部１１の上方半分を保持している少なくとも２つのタブ４１は、ディスク１０を傾斜させた位置でロックするための保持手段４２、例えば、複数の突部を有している。一方で、このタブ４１が柔軟である結果、この保持手段４２を引き、ディスクが取り上げられるようにこのディスクの周方向の端部１１を開放することができる。
【００６４】
この最後の特徴（ｃ）は、多分、特徴（ａ）及び（ｂ）の少なくとも一方と組み合わせて、傾斜した位置で重ねられているが、ロックされて離間されているディスク１０のストックを提供するように用いられることができる一方で、これらディスクの各々を独立して容易に解放して取り出すことを可能とし、これらディスクのアクティブな部分に損傷を与える危険をおかすことなくこのことを行うことを可能とする。
【００６５】
ディスク１０を取り上げるための複数の突部５０が、プラットフォーム３０の第１の広い面即ち上面で、長手方向の端部３２と横断方向の端部３４とが出会う点でくり抜かれ、ハウジング３０の中へと出ていることにも明記される。  
プラットフォーム２０は、通常、適切な形状の鋳型の中に射出してプラスチックで一体に、形成される。
【００６６】
上述のパッケージ体は、本発明の範囲から逸脱することなく複数の変形例を有していてもよい。  
図２乃至４は、ハウジングが２つ又は３つのディスク１０を受容する２つの例示的な実施形態を示している。当然、ハウジングが４つ以上のディスク１０を受容するように備えることが可能である。この数は、プラットフォーム２０のサイズと、２つの隣接するディスクの間で許容可能な重ね合わせの比率とにより限定される。  
この重ね合わせの許容可能な比率は、各々のディスク１０を他のディスクに依存しないで、すなわち、他のディスクを動かしたり、他のディスクをプラットフォーム２０から取り出したりする必要なく、取り出すことが可能でなければならないという必要条件によりほぼ限定されている。
【００６７】
このため、各々のディスクをその周方向の端部１１の上部の部分１１２で、このディスクの横断方向の直径が長手方向の端部３２から開放されるまで、持ち上げることができなければならない。それから、このディスクを、Ｘ−Ｘ’方向に長手方向に引くことができる。この操作を、ディスク１０がその下面７１で、部分的に重なっているディスク１０の上面７９に触れることなく実行することができなければならない。
【００６８】
したがって、これらディスクが底部３１と比較的大きな角をなしており、互いに比較的離間されているならば、これらディスクをより容易に取り出すことが可能であり、この結果、比較的大きな程度の重なりが許容されることが十分理解される。
【００６９】
他方、これらディスクが底部３１と比較的小さな角をなしており、互いに比較的離間されていないならば、これらディスクを取り出すことはより難しく、２つのディスクの間の重なりの程度は、より小さくなければならないだろう。
【００７０】
当然、これらディスク１０が、底部３１と互いに異なる角度をなすように備えることができる。同様に、２つのディスク１０の間の間隔は、可変であってもよい。  
これらディスクを保持するためのタブ４１は、どんな適切な形状をとってもよい。これらタブは、柔軟である必要なないが、例えば、長手方向の端部に固定されて取り付けられていなければならない。
【００７１】
突部即ち保持手段４２は、柔軟性のあるタブ４１に取り付けられる必要はなく、長手方向の端部３２に固定して取り付けられなければならない。ディスク１０は、これら突部からこれら突部それ自身の変形により取り外され、これら突部は、この場合、変形可能な材料で形成されている。
【００７２】
保持手段４０は、複数の異なるディスクの周方向の下方の部分を保持するように、複数のロック用タブ４４を有していてもよい。これらロック用タブは、底部３１に形成され、この底部から突出し、ディスクの端部を係合させるための溝を生じている。
【００７３】
図７乃至１１に示されている実施形態は、図１乃至４を参照して説明された実施形態と以下のことにより異なる。  
図示されていない溝を有し、傾斜された位置でストックされるディスク１０の下方半分の周方向の端部１１だけを受容するために適している停止部９０を底部３１に有していること。  
互いに異なり、上述のタブ４１と異なるタブ４１５、４１６を有していること。
【００７４】
各タブ４１５は、単にディスクを底部３１に向けて押すことにより、スナップ式に動作しディスク１０の周方向の境界を保持し、また、「プッシュ」部分を押圧することにより、このタブを底部３１とハウジング３０の外側とに向けて折り曲げることにより、この周方向の境界を開放するように、用いられることができる。この目的のために、タブ４１５は、いずれの側もディスク１０の周方向の境界１１の部分１１ａに接触する弾性のある薄板からなる２つの径方向の肩部４１６から形成されている複合的だが一体的な構造を有している。  
各タブ４１６は、上述したタブ４１に同様の構造を有している。
【００７５】
これらタブ４１５、４１６は、これらの下方の柔軟な部分によりプラットフォーム２０の一体構造の残りに接続されている。
【００７６】
図１２乃至１５に示されている実施形態は、３つのディスク１０を傾斜した位置で、上述の特別なタブ４１５に同様な、プラットフォームのタブ４１でストックするように用いられる。
【００７７】
したがって、上述のパッケージ体は、多くの有利な点を有していることが明確に理解される。  
このパッケージ体は、複数のディスクを同一のハウジングに、非常にコンパクトに位置させるように用いられ、各ディスクを、他のディスクに接触することなく独立に取り外すことができる。
【００７８】
この結果、このパッケージ体の厚さ並びに／もしくは長さを著しく増加させることなく、同一のパッケージ体に多数の、４つ以上の、ディスクを収容することが可能である。
【００７９】
この結果は、非常に単純な手段により達成される。このパッケージ体は、このパッケージ体に追加して設けられプラットフォーム２０に取り付けられる回動式の支持部を用いていない。回動式の支持部は、壊れやすく、同時に、費用のかかる取り付け操作を必要とする。逆に、本発明のパッケージ体は、極めて経済的で、同時に、極めて頑丈である。これは、このパッケージ体は、このような回動式の支持部無しで済ましているからである。
【００８０】
ディスクは、このパッケージ体が、これらディスクを取り付けるための中央のロゼットを用いないように、それぞれの周方向の端部により保持されている。これは、これらロゼットが高価で壊れやすいため、有利な点である。
【図面の簡単な説明】
【００８１】
【図１】本発明に係るパッケージ体の、開いた、直立即ち垂直な位置の斜視図である。
【図２】本発明に係る２つのディスクを受容するために用いられるパッケージ体の斜視図である。
【図３】３つのディスクを受容することができるパッケージ体またはプラットフォームに対する図１と同様な図である。
【図４】図２の矢印ＩＶの線に沿って考えられた、図３のプラットフォームの長手方向の中央平面での断面図である。
【図５】本発明により考えられているようなデジタルディスクの下側面の概略図である。
【図６】本発明により考えられているようなデジタルディスクの図６のＶＩ−ＶＩ線に沿った部分断面図である。
【図７】２つのディスク１０を受容するための、本発明に係るプラットフォームの他の実施形態の前面図である。
【図８】図７によるプラットフォームのＶＩＩＩ−ＶＩＩＩ断面線に沿った部分断面図である。
【図９】図７によるプラットフォームのＩＸ−ＩＸ断面線に沿った部分断面図である。
【図１０】
【図１１】図７に示されているプラットフォームの詳細な斜視図である。
【図１２】３つのディスク１０を受容するための、本発明に係るプラットフォームの他の実施形態の前面図である。
【図１３】図１２によるプラットフォームのＸＩＩＩ−ＸＩＩＩ断面線に沿った部分断面図である。
【図１４】図１２によるプラットフォームのＸＩＶ−ＸＩＶ断面線に沿った部分断面図である。
【図１５】図１２に示されているプラットフォームの詳細な斜視図である。
【図１】
2008502543.tif 000003
【図２】
2008502543.tif 000004
【図３】
2008502543.tif 000005
【図４】
2008502543.tif 000006
【図５】
2008502543.tif 000007
【図６】
2008502543.tif 000008
【図７】
2008502543.tif 000009
【図８】
2008502543.tif 000010
【図９】
2008502543.tif 000011
【図１０】
2008502543.tif 000012
【図１１】
2008502543.tif 000013
【図１２】
2008502543.tif 000014
【図１３】
2008502543.tif 000015
【図１４】
2008502543.tif 000016
【図１５】
2008502543.tif 000017
【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
複数のデジタルディスク（１０）をそれぞれのストック位置に保持するための保持手段（４０）を具備する、ほぼ矩形の形状の堅いプラットフォーム（２０）において、このプラットフォームは、前記複数のディスク（１０）を受容するための、複数の端部（３２、３４）を有しているハウジング（３０）が設けられている面をさらに具備し、前記保持手段（４０）は、前記複数のディスクの各々を傾斜した位置に取外し可能に保ち、前記ハウジング（３０）の内側に向かって延びた、突出している部分（４１１）を備え、この突出している部分のサイズは、前記ディスク（１０）の周方向の端部（１１）が、この突出している部分に載るように選ばれていることを特徴とするプラットフォーム。
【請求項２】
各ディスクを保持するための前記保持手段（４０）は、中央のロゼットを用いるいかなる相補的な手段も有していないことを特徴とする請求項１に係るプラットフォーム。
【請求項３】
前記ハウジング（３０）は、平坦な底部（３１）により規定され、この底部は、前記ハウジングの全体で同じレベルに延びていることを特徴とする請求項１に係るプラットフォーム。
【請求項４】
前記突出している部分（４１１）は、前記ハウジング（３０）の底部（３１）の上方の離れたところで延びていることを特徴とする請求項１に係るプラットフォーム。
【請求項５】
前記保持手段（４０）は、前記ハウジング（３０）の２つの対向する端部（３２）に位置し、間に、前記ディスクを傾斜した位置で受容するための領域（３３）を規定している２つの保持用タブ（４１）を有することを特徴とする請求項１に係るプラットフォーム。
【請求項６】
前記保持手段（４０）の保持用タブ（４１）は、前記ハウジング（３０）の底部（３１）に反対の垂直な方向で、傾斜したストック位置に、前記ディスクを保持するための手段（４２）を有することを特徴とする請求項１に係るプラットフォーム。
【請求項７】
前記保持するための手段（４２）は、前記ディスク（１０）を傾斜した位置にロックするように配置されていることを特徴とする請求項６に係るプラットフォーム。
【請求項８】
前記保持用タブ（４１）は、この保持用タブが前記ハウジング（３０）の外側に向かって曲げられることができるように配置され、前記ディスク（１０）の周方向の端部（１１）は、前記保持するための手段（４２）から解放されることができることを特徴とする請求項６に係るプラットフォーム。
【請求項９】
前記保持手段（４０）は、前記ハウジング（３０）の底部（３１）に垂直な方向に前記ディスク（１０）の周方向の端部（１１）の下方の部分（１１１）をロックするためのタブ又は手段（４４）を有することを特徴とする請求項１に係るプラットフォーム。
【請求項１０】
前記ハウジング（３０）は、ディスク（１０）を受容するための複数の領域（３３）に分割され、各領域（３３）は、少なくとも、互いに対向して位置している２つの長手方向の端部（３２）の２つの円弧の部分（３２１）と、対応する前記ディスク（１０）を保持するための複数の保持用タブ（４１）とにより規定されていることを特徴とする請求項１に係るプラットフォーム。
【請求項１１】
前記複数の領域の各々は、各ディスク（１０）が、前記プラットフォーム（２０）の長手方向（ＸＸ’）に動かないようにデザインされていることを特徴とする請求項１０に係るプラットフォーム。
【請求項１２】
前記保持手段（４０）は、この保持手段を除いて前記ディスク１０の周方向の端部１１が自由であり、前記ハウジング（３０）の底部（３１）の上方に持ち上げられるようにデザインされていることを特徴とする請求項１に係るプラットフォーム。
【請求項１３】
複数のデジタルディスク（１０）をそれぞれのストック位置に保持するための保持手段（４０）を具備する、ほぼ矩形の形状の堅いプラットフォーム（２０）において、このプラットフォームは、前記複数のディスク（１０）を受容するための、複数の端部（３２、３４）を有しているハウジング（３０）が設けられている面をさらに具備し、前記保持手段（４０）は、前記複数のディスクの各々を傾斜した位置に取外し可能に保ち、前記ディスクは、一方では、前記ディスクの互いに離間した少なくとも２つの点で前記保持手段に支持され、他方では、前記ハウジング（３０）の底部（３１）に支持されることを特徴とするプラットフォーム。
【請求項１４】
請求項１乃至１３のいずれか１に係るプラットフォーム（２０）を有している、複数のデジタルディスク（１０）のためのパッケージ体。
【手続補正２】
【補正対象書類名】明細書
【補正対象項目名】０００６
【補正方法】変更
【補正の内容】
【０００６】
そして、本発明に係れば、このパッケージ体は、広い面を有し、ハウジングは、この面の中に複数のディスクを受容するように形成され、（本当の、或いはくり抜かれた）底部により規定され、複数の端部を有する、堅いプラットフォームを有している。このプラットフォームは、このハウジングの内側に複数の前記ディスクを、これらディスクのそれぞれの傾斜したストック位置で保持するための手段を有し、このストック位置において、これらディスクは、前記底部に対して傾斜したそれぞれの面で、互いに離間し、部分的に重なって延びている。本発明のパッケージ体は、また、以下の複数の特徴のうち１つ以上を有していてもよい。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００３３
【補正方法】変更
【補正の内容】
【００３３】
このプラットフォーム２０は、ハウジング３０の内側のそれぞれのストック位置に複数のディスク１０を取り外し可能に保持するための複数の手段４０を有している。これらストック位置では、複数のディスク１０は、これらディスクのそれぞれの中心７０の縦の整列と同一の方向ＸＸ’に、中心２１の内側面に平行に、平行に互いに離間されるように、しかし互いにずらされて延び、これらディスク１０は、底部３１から傾斜したそれぞれの平面上に配置される。
【手続補正１５】
【補正対象書類名】明細書
【補正対象項目名】００３６
【補正方法】変更
【補正の内容】
【００３６】
図２、及び図３は、それぞれのストック位置にあるディスク１０、特に、これらの中心７０が、長手方向Ｘ−Ｘ’に整列され、列を形成していることを示している。  
このように、これらディスク１０の傾斜したストック位置は、長手方向Ｘ−Ｘ’に並進することにより互いに続いている。これらディスク１０は、この長手方向Ｘ−Ｘ’に均等に離間されることが好ましい。
【手続補正１６】
【補正対象書類名】明細書
【補正対象項目名】００３７
【補正方法】変更
【補正の内容】
【００３７】
図４に示されているように、各ディスク１０は、その周方向の端部１１の下方部分１１１で底部３１に載り、この下方部分１１１から図４の表示の右に延び、ハウジング３０の開口部３０に向かって、この底部３１に垂直な方向に対して傾斜して延びている。
【手続補正１７】
【補正対象書類名】明細書
【補正対象項目名】００３８
【補正方法】変更
【補正の内容】
【００３８】
ディスク１０の周方向の端部１１の上方部分１１２は、プラットフォーム２０の第１の広い面即ち上面で、このハウジング３０の開口部の高さと重なっている。
【手続補正１８】
【補正対象書類名】明細書
【補正対象項目名】００５０
【補正方法】変更
【補正の内容】
【００５０】
横断方向の端部３４は、２つの受容領域３３を規定し、ハウジング３０の２つの端部に位置し、各々が、円弧の形状で、対応する領域３３を規定している２つの対向する円弧の部分３２１を接続している。各横断方向の端部は、２つの対応する部分３２１と同じ円に刻まれ、したがって、この領域に受容されるディスク１０の半径よりも非常にわずかに大きい半径を有している。
【手続補正１９】
【補正対象書類名】明細書
【補正対象項目名】００５１
【補正方法】変更
【補正の内容】
【００５１】
このディスク１０は、この横断方向の直径の各長手方向の端部の複数の鋭い領域を形成している、複数の円弧の端部３２１の部分により長手方向に移動することを防止されていることに留意されたい。
【手続補正２０】
【補正対象書類名】明細書
【補正対象項目名】００５６
【補正方法】変更
【補正の内容】
【００５６】
しかしながら、これらタブ４１がディスク１０をその周方向の端部１１の下方半分により保持するようにタブ４１を位置させることが可能である。  
保持手段４０は、ストック位置にあるディスク１０を底部３１に垂直な方向に保持するための手段４２をさらに有し、これら手段は、長手方向の端部３２に形成されている。  
これら保持手段は、典型的には、それぞれがタブ４１の一部であり、長手方向の端部３２からハウジング３０の内側に向かって突出し、底部３１から突出している部分４１１のすぐ上方に位置している、突部４２からなる。ディスク１０の周方向の端部１１は、突出している部分４１１と突部４２と間にはめ込まれ、この突部により底部３１に対向する方向にロックされる。
【手続補正２１】
【補正対象書類名】明細書
【補正対象項目名】００５９
【補正方法】変更
【補正の内容】
【００５９】
例えば、これら舌状部４３は、突出している部分４１１の２つの対向する側に沿っている長手方向の端部３２に２つの第１の平行なスロット４３１を形成し、これら２つの第１のスロット４３１に導かれ突出している部分４１１の下に第３のスロット４３２を形成することにより得られる。「突出している部分４１１の下に」とは、第３のスロットが、底部３１と突出している部分４１１との間に延びていることを意味している。
【手続補正２２】
【補正対象書類名】明細書
【補正対象項目名】００６２
【補正方法】変更
【補正の内容】
【００６２】
最後に、保持手段４０は、適当な場合には（図３参照）、ロック用タブ４４に対向して横断方向の端部３４の中央に形成されている中央のタブ４５を有している。したがって、最後の位置に位置するディスク１０を受容するための領域３３の境界を形成している。この中央のタブ４５は、横断方向の端部３４からハウジング３０の内側に向けて突出しており、最後の位置を取るディスク１０を、底部３１に対向するその周方向の端部の上方の部分１１２により保持する。この中央のタブ４５は、底部３１の上方に離間されて形成されている。  
この中央のタブ４５は、対応するディスクを保持するために２つのタブ４１に置き換えることができ、これら２つのタブに追加することもできる。
【手続補正２３】
【補正対象書類名】明細書
【補正対象項目名】００６３
【補正方法】変更
【補正の内容】
【００６３】
例として与えられている、上述の説明の結果は、以下の通りである。  
ａ）各々のディスク１０を傾斜した位置に維持し保持するのは、保持手段４０である。場合によっては、ロックされて接触している保持手段を除いて、ディスク１０の周方向の端部１１は、自由であり、ハウジング３０の底部３１の上方に持ち上げられている。  
ｂ）これら保持手段４０、この例では、タブ４１、４５、は、各ディスク１０の円形の周囲即ち周方向の端部１１の周りに均等に分布している。  
ｃ）ディスク１０の周方向の端部１１の上方半分を保持している少なくとも２つのタブ４１は、ディスク１０を傾斜させた位置でロックするための保持手段４２、例えば、複数の突部を有している。一方で、このタブ４１が柔軟である結果、この保持手段４２を引き、ディスクが取り上げられるようにこのディスクの周方向の端部１１を開放することができる。
【手続補正２４】
【補正対象書類名】明細書
【補正対象項目名】００７３
【補正方法】変更
【補正の内容】
【００７３】
図７乃至１１に示されている実施形態は、図１乃至４を参照して説明された実施形態と以下のことにより異なる。  
図示されていない溝を有し、傾斜された位置でストックされるディスク１０の下方半分の周方向の端部１１だけを受容するために適している停止部９０を底部３１に有していること。  
互いに異なり、上述のタブ４１と異なるタブ４１５、４１７を有していること。
【手続補正２５】
【補正対象書類名】明細書
【補正対象項目名】００７４
【補正方法】変更
【補正の内容】
【００７４】
各タブ４１５は、単にディスクを底部３１に向けて押すことにより、スナップ式に動作しディスク１０の周方向の境界を保持し、また、「プッシュ」部分を押圧することにより、このタブを底部３１とハウジング３０の外側とに向けて折り曲げることにより、この周方向の境界を開放するように、用いられることができる。この目的のために、タブ４１５は、いずれの側もディスク１０の周方向の境界１１の部分１１ａに接触する弾性のある薄板からなる２つの径方向の肩部４１６から形成されている複合的だが一体的な構造を有している。  
各タブ４１７は、上述したタブ４１に同様の構造を有している。
【手続補正２６】
【補正対象書類名】明細書
【補正対象項目名】００７５
【補正方法】変更
【補正の内容】
【００７５】
これらタブ４１５、４１７は、これらの下方の柔軟な部分によりプラットフォーム２０の一体構造の残りに接続されている。
【手続補正２７】
【補正対象書類名】明細書
【補正対象項目名】００８１
【補正方法】変更
【補正の内容】
【００８１】
【図１】本発明に係るパッケージ体の、開いた、直立即ち垂直な位置の斜視図である。
【図２】本発明に係る、２つのディスクを受容するために用いられるパッケージ体の斜視図である。
【図３】３つのディスクを受容することができるプラットフォームの図１と同様な図である。
【図４】図２の矢印ＩＶの線に沿って考えられた、図３のプラットフォームの長手方向の中央平面での断面図である。
【図５】本発明により考えられているようなデジタルディスクの下側面の概略図である。
【図６】本発明により考えられているようなデジタルディスクの図６のＶＩ−ＶＩ線に沿った部分断面図である。
【図７】２つのディスク１０を受容するための、本発明に係るプラットフォームの他の実施形態の前面図である。
【図８】図７によるプラットフォームのＶＩＩＩ−ＶＩＩＩ断面線に沿った部分断面図である。
【図９】図７によるプラットフォームのＩＸ−ＩＸ断面線に沿った部分断面図である。
【図１０】図７によるプラットフォームのＸ−Ｘ断面線に沿った部分断面図である。
【図１１】図７に示されているプラットフォームの詳細な斜視図である。
【図１２】３つのディスク１０を受容するための、本発明に係るプラットフォームの他の実施形態の前面図である。
【図１３】図１２によるプラットフォームのＸＩＩＩ−ＸＩＩＩ断面線に沿った部分断面図である。
【図１４】図１２によるプラットフォームのＸＩＶ−ＸＩＶ断面線に沿った部分断面図である。
【図１５】図１２に示されているプラットフォームの詳細な斜視図である。
【手続補正２８】
【補正対象書類名】図面
【補正対象項目名】図２
【補正方法】変更
【補正の内容】
【図２】
2008502543.tif 000018
【手続補正２９】
【補正対象書類名】図面
【補正対象項目名】図４
【補正方法】変更
【補正の内容】
【図４】
2008502543.tif 000019
【手続補正３０】
【補正対象書類名】図面
【補正対象項目名】図７
【補正方法】変更
【補正の内容】
【図７】
2008502543.tif 000020
【手続補正３１】
【補正対象書類名】図面
【補正対象項目名】図８
【補正方法】変更
【補正の内容】
【図８】
2008502543.tif 000021
【手続補正３２】
【補正対象書類名】図面
【補正対象項目名】図９
【補正方法】変更
【補正の内容】
【図９】
2008502543.tif 000022
【手続補正３３】
【補正対象書類名】図面
【補正対象項目名】図１０
【補正方法】変更
【補正の内容】
【図１０】
2008502543.tif 000023
【手続補正３４】
【補正対象書類名】図面
【補正対象項目名】図１１
【補正方法】変更
【補正の内容】
【図１１】
2008502543.tif 000024
【手続補正３５】
【補正対象書類名】図面
【補正対象項目名】図１３
【補正方法】変更
【補正の内容】
【図１３】
2008502543.tif 000025
【手続補正３６】
【補正対象書類名】図面
【補正対象項目名】図１４
【補正方法】変更
【補正の内容】
【図１４】
2008502543.tif 000026
【国際調査報告】
2008502543.tif 000027
2008502543.tif 000028
2008502543.tif 000029
2008502543.tif 000030
2008502543.tif 000031
2008502543.tif 000032